(57)【要約】【課題】赤外線体温計を校正するときに、室温状態の対象に対して体温計が適正に向いているか否かを目視確認し易くし、赤外線体温計を使用する環境が急変したときの校正作業を簡単にする。【解決手段】環境温度と同じ温度の測定対象に赤外線体温計１の赤外線センサ３を向けて、手動校正手段１５のスイッチ押下をしたときに、表示手段６が投影する二点の光点の間に可読情報が位置するように赤外線センサ３の向きを手持ちで変更することで、環境温度と同じ温度の測定対象に対して赤外線センサ３が校正用の所定距離で離間した状態で正対する構成とした。【選択図】図３
0003202139.tif 000002
【実用新案登録請求の範囲】
【請求項１】
片手で握り持ち可能とされたケース体と、
前記ケース体の一端面に開口された入射口に対応して配置され、前記入射口を通る赤外線を検知して赤外線を放出する測定対象の測定温度を出力する赤外線センサと、
前記ケース体の内部に配されていて、測定する環境温度に基づいて想定環境温度を出力する環境温度センサと、
前記入射口を間にして前記一端面に開口された対の投射口に位置する対のレンズ体を通して測定対象側に向けて可読情報を投影可能にした表示手段と、
赤外線センサからの前記測定温度を補償するための計算式の係数を前記想定環境温度に応じて決定して補償し、この補償よりなる補償測定温度を、可読情報として投影するように前記表示手段を制御可能にした制御部と、
前記表示手段で前記補償測定温度を投影するように制御部を動作させる操作部とを備える赤外線体温計であって、
前記操作部には押下可能なスイッチを配して、該スイッチの特定押下操作によりなる手動校正手段が設けられており、
前記手動校正手段は、前記スイッチの特定押下操作をしたときに、
前記表示手段にて、二点の光点を投影させるとともに、前記スイッチの特定押下操作時の赤外線センサが出力する測定温度である可読情報を投影させ、
前記制御部にて、前記スイッチの特定押下操作時の環境温度センサが出力する想定環境温度と前記スイッチの特定押下操作時の赤外線センサが出力する測定温度とに基づき、体温測定時の赤外線センサが出力する測定温度を補償するための計算式の前記係数を決定させるものとされていて、
環境温度と同じ温度の測定対象に赤外線センサを向けて、前記手動校正手段での前記スイッチの特定押下操作をしたときに、前記表示手段が投影する二点の光点の間に前記可読情報が位置するように赤外線センサの向きを手持ちで変更することで、前記環境温度と同じ温度の測定対象に対して赤外線センサが校正用の所定距離で離間した状態で正対する構成としたことを特徴とする赤外線体温計。
【考案の詳細な説明】
【技術分野】
【０００１】
本考案は赤外線センサを用いた体温計に関するものである。
【背景技術】
【０００２】
従来から非接触で体温の測定を行なえるようにした体温計には、例えば特許文献１に示されているものがある。この特許文献１に示されているものは、容器の先端部に開口した窓の後方に設置した赤外線センサとこの赤外線センサに隣接して設置した温度センサとからなる体温計であった。
【０００３】
また、サーモパイルを赤外線センサとした赤外線温度計に関し、赤外線センサの温度を補償して温度測定対象の温度が求められるようにする点が、特許文献２に示されている。
【０００４】
特許文献３には、体温計本体とは別個にして室内に置かれた室温測定の機器から室温シグナルを体温計で受信できるようにして、体温計を使用する環境が変化したときの問題を解決する点が示されている。またこの特許文献３にあっては、体温計を温度測定対象からの所定距離に対する正確な位置決定の状況を判断できるようにポインタを用いる点が示されている。さらに前記室温測定の機器がない場合に、室温温度となっている基準素子を利用し、手動にて体温計に前記室温温度を設定できるとの点が示されている。
【先行技術文献】
【特許文献】
【０００５】
【特許文献１】特開平０３−０７５５３１号公報（赤外線センサを用いた体温計）
【特許文献２】特開平０６−０６６６３９号公報（赤外線温度計）
【特許文献３】特表２００８−５３８９６５号公報（患者用体温測定機器）
【考案の概要】
【考案が解決しようとする課題】
【０００６】
上述したように特許文献３の体温計にあっては、室温（環境温度）の情報を決定するために基準素子（例えば室内に置かれたプレート）を利用して、手動にてその室温を設定できるものとなっている。しかし、室温設定に際し、測定者が体温計を持ってその体温計を基準素子に向けるとしているが、体温計の赤外線を取り込む部分、即ち赤外線センサの正面が、基準素子に正対しているか否かが測定者には目視確認し難く、体温測定時点での室温を設定する作業が煩雑になるという問題がある。
【０００７】
そこで本考案は赤外線センサの温度補償をするときの室温設定などを手動にて行なう赤外線体温計において、室温状態の対象に対して体温計が適正に向いているか否かを目視確認し易くすることを課題とし、赤外線体温計を使用する環境が急変したときの校正作業を簡単にすることを目的とする。
【課題を解決するための手段】
【０００８】
（請求項１の考案）
本考案は上記課題を考慮してなされたもので、片手で握り持ち可能とされたケース体と、
前記ケース体の一端面に開口された入射口に対応して配置され、前記入射口を通る赤外線を検知して赤外線を放出する測定対象の測定温度を出力する赤外線センサと、
前記ケース体の内部に配されていて、測定する環境温度に基づいて想定環境温度を出力する環境温度センサと、
前記入射口を間にして前記一端面に開口された対の投射口に位置する対のレンズ体を通して測定対象側に向けて可読情報を投影可能にした表示手段と、
赤外線センサからの前記測定温度を補償するための計算式の係数を前記想定環境温度に応じて決定して補償し、この補償よりなる補償測定温度を、可読情報として投影するように前記表示手段を制御可能にした制御部と、
前記表示手段で前記補償測定温度を投影するように制御部を動作させる操作部とを備える赤外線体温計であって、
前記操作部には押下可能なスイッチを配して、該スイッチの特定押下操作によりなる手動校正手段が設けられており、
前記手動校正手段は、前記スイッチの特定押下操作をしたときに、
前記表示手段にて、二点の光点を投影させるとともに、前記スイッチの特定押下操作時の赤外線センサが出力する測定温度である可読情報を投影させ、
前記制御部にて、前記スイッチの特定押下操作時の環境温度センサが出力する想定環境温度と前記スイッチの特定押下操作時の赤外線センサが出力する測定温度とに基づき、体温測定時の赤外線センサが出力する測定温度を補償するための計算式の前記係数を決定させるものとされていて、
環境温度と同じ温度の測定対象に赤外線センサを向けて、前記手動校正手段での前記スイッチの特定押下操作をしたときに、前記表示手段が投影する二点の光点の間に前記可読情報が位置するように赤外線センサの向きを手持ちで変更することで、前記環境温度と同じ温度の測定対象に対して赤外線センサが校正用の所定距離で離間した状態で正対する構成としたことを特徴とする赤外線体温計を提供して、上記課題を解消するものである。
【考案の効果】
【０００９】
（請求項１の考案の効果）
本考案によれば、赤外線温度計は手動校正手段を有していて、校正する際には、手動校正手段であるスイッチ特定押下操作をすることで、環境温度が変化した状況下に応じた計算式の係数が決定され、測定温度を適正に補償することができる。そして、その計算式の係数を新たにする校正の作業は、手持ちで赤外線センサの向きを正すというものであるので、校正の作業が短時間で行えるという効果を奏する。
【図面の簡単な説明】
【００１０】
【図１】本考案の赤外線体温計に係る実施の例を示す説明図である。
【図２】実施の例におけるケース体の一端面側を示す説明図である。
【図３】実施の例の構成を概略的に示す説明図である。
【図４】実施の例における校正を示す説明図である。
【考案を実施するための形態】
【００１１】
つぎに本考案を図１から図４に示す実施の形態に基づいて詳細に説明する。図１は赤外線体温計で、本赤外線体温計１は手のひらで握り持つことができる大きさとされたケース体２の内部に、図３に示すように赤外線センサ３と環境温度センサ４を組み入れている。
【００１２】
また、ケース２には上記赤外線センサ３や環境温度センサ４からの出力を受けることができるようにしたＩＣ機器などからなる制御部５が収容され、さらには前記制御部５に制御される表示手段６が組み入れられている。なお、本赤外線体温計１は電源として乾電池を用いるものであるが、説明を容易にするために電源については図示していない。
【００１３】
（赤外線センサ）
赤外線体温計１の外殻となるケース体２の一端面には、図２に示すように一つの入射口７とこの入射口７を間にして対の投射口８が開口されている。前記入射口７に赤外線センサ３が対応して配置されており、測定対象から放出された赤外線を赤外線センサ３が検知し、この測定対象の測定温度を出力する。
【００１４】
（環境温度センサ）
ケース体２に組み入れられている上記環境温度センサ４は、この赤外線体温計１が置かれている空間の温度を測定して、赤外線センサ３による上記測定温度を補償するための想定環境温度を出力するセンサである。赤外線体温計１は手持ちできる大きさであって、携帯している測定者側の熱を受け易いことなどを原因として、測定する環境温度自体が変動し易い。そのため、変動する温度を測定し続けながらその環境温度に基づいて、被測定者がいる空間の温度を想定環境温度として出力する。
【００１５】
（表示手段）
表示手段６は、上記投射口８に位置する対のレンズ体９を通して測定対象側に向けて可読情報を投影可能にしている。投影する前記可読情報は制御部５で処理された温度の情報であり、可読情報の投影はこの制御部５によって制御される。
【００１６】
可読情報はこの実施の例にあっては一方の投射口８から投影されるものであって、赤外線体温計１が測定対象に正対してその測定対象から赤外線センサ３が予め設定された距離で離れたときに、図４に示すように赤外線センサ３の正面方向となる位置でその可読情報１０が結像されるように設けられている。
【００１７】
さらにこの実施の例では他方の投射口８から二点の光点が投影されるようにしていて、この光点の投影は後述の手動校正のときに制御部５の制御の下で行われる。そして、その投影に際して上記可読情報１０の投影の場合と同様に、赤外線体温計１が測定対象に正対し、測定対象から赤外線センサ３が予め設定された距離（校正用の設定距離）で離れたときに、赤外線センサ３の正面方向となる位置で結像した可読情報１０を間にして二点の光点１１が結像するように設けられている。
【００１８】
このように本実施の例にあっては、図４に示すように赤外線体温計１が測定対象１２に正対（赤外線センサが測定対象に正対）し、赤外線センサ３と測定対象１２との間が設定された距離で離している状態で、表示手段６の可読情報１０を間にして二点の光点１１が結像されるようにしている。逆に言えば、手動校正のときに、二点の光点１１が可読情報１０を挟み込む配置で測定対象１２の表面で結像させる向きの調整を、この赤外線体温計１を持つ手で行なうことで、赤外線センサ３の測定対象１２に対する向きと距離を校正に適したものに簡単にできる。
【００１９】
（制御部）
上記制御部５の通常の動作は、赤外線センサ３が出力する測定対象の測定温度を受けるとともに、環境温度センサ４が出力する想定環境温度を受けて、前記測定温度を補償するための計算式の係数を前記想定環境温度に応じて決定して補償する。そして測定者が後述の操作を行なったときに、制御部５が、前記補償よりなる補償測定温度を可読情報として投影することができるように表示手段６を制御する。
【００２０】
（操作部）
図示されているように赤外線体温計１のケース体２の外表面に三つのボタン状のスイッチ１３ａ、１３ｂ、１３ｃを押下可能に突出させた操作部１４が位置している。一般的な機器と同様に前記操作部１４では前記スイッチ１３ａ、１３ｂ、１３ｃごとに制御部５に行なわせる動作が予め設定されている。
【００２１】
この実施の例において、三つのスイッチ１３ａ、１３ｂ、１３ｃの内、特定の一つのスイッチ１３ａを押し下げることで、上記表示手段６で前記補償測定温度を投影するように制御部５の動作が設定されている。
【００２２】
例えば、被測定者の体温を測定する部屋にこの赤外線体温計１が所定時間以上置かれている状態では、環境温度を測定している環境温度センサ４からの想定環境温度を制御部５が受けている。そして赤外線体温計１の赤外線センサ３の正面を被測定者の額に向けながら前記特定の一つのスイッチ１３ａを押し下げ操作することで、赤外線センサ３が、額から放出された赤外線を検知して測定温度を制御部５に出力する。
【００２３】
制御部５は、測定された上記測定温度を補償するための計算式の係数を上記想定環境温度に応じて決定していて、前記測定温度を補償し、その補償測定温度を表示手段６が可読情報として被測定者の額に向けて投影し、可読情報を測定者が読み取ることで体温を知ることができる。
【００２４】
（手動校正手段）
赤外線にて体温を測る体温計において上記構成のみでは、例えば前測定の環境での環境温度に対して温度が急変している環境で直ぐに体温の測定を行なう場合には、想定環境温度が大きく変動するため、測定温度を補償する際の計算式の係数自体が不適切な値となり、表示される情報に誤差が生じる。そのため、本赤外線体温計１では、温度が異なる場所から持ってきて体温を測るときに、想定環境温度の変動の量が予め設定された量より大きい場合、スイッチ１３ａを押すと表示手段６によって例えば「ＣＡＬ」という文字列の可読情報を投影するようにしている。
【００２５】
また、スイッチ１３ａ、１３ｂ、１３ｃそれぞれの近傍には、ＬＥＤ素子を光源としてケース体２を光透過させる発光部１３ｄ、１３ｅ、１３ｆが設けられていて、上述したように想定環境温度の変動が所定量より大きい場合、スイッチ１３ａを押すと、この実施の例ではスイッチ１３ａに近接する発光部１３ｄが点滅するとともに、スイッチ１３ｂに近接する発光部１３ｅが点滅するようにしている。この発光部１３ｄ、１３ｅの点滅が、以下に示す手動校正で、測定者に対してスイッチ１３ａ、スイッチ１３ｂを同時に押下するように示唆するものとなる。
【００２６】
操作部１４にあっては、スイッチの特定押下操作を行なうことによりつぎのように制御部５を動作させる手動校正手段１５を有している。この手動校正手段１５は特定されたスイッチの押下操作の組み合わせからなるもの（押下操作の組み合わせに応じて予め設定されている制御）であり、この実施の例では、手動の校正を行なうときに、測定者は、上述したように点滅している発光部１３ｄに近いスイッチ１３ａと同じく点滅している発光部１３ｅに近いスイッチ１３ｂとを同時に押下し、手動校正手段１５はまずこの押下によって上記係数を一旦キャンセルするものである。さらに以下に説明する操作でのスイッチ押下によって、その特定押下操作時の赤外線センサ３が出力する測定温度とその特定押下操作時の環境温度センサ４が出力する想定環境温度とに基づき、被測定者の体温測定を行なう作業においての赤外線センサ３が出力する測定温度を補償するための計算式の新規の係数を決定するように制御部５を動作させるものである。
【００２７】
（手動校正の特定押下操作）
より具体的に説明すれば手動校正手段１５では、上述したようにスイッチ１３ａとスイッチ１３ｂとの同時押下が行なわれることで、係数を一旦キャンセルする。そして、スイッチ１３ａとスイッチ１３ｂとから指を離すと、スイッチ１３ｂ近傍の発光部１３ｅが点滅し、測定者に対してスイッチ１３ｂを押下するように示唆する。
【００２８】
つぎに発光部１３ｅが点滅している時間（１０秒程度）以内に、赤外線体温計１の姿勢などを直しながらスイッチ１３ｂを押下する。この赤外線体温計１の姿勢などの直しでは、環境温度と温度が同じである壁表面や家具表面などを測定対象１２とし、その測定対象に赤外線センサ３を向けて、手動校正手段１５を測定者が操作するものであって、スイッチ１３ｂを所定時間押し続けると、赤外線センサ３が出力する測定対象１２の測定温度（補償係数のかからない温度）を表示手段６が投影するとともに、二点の光点を投影する。
【００２９】
上記スイッチ１３ｂを押下し続けながら可読情報である上記測定対象１２の測定温度（補償係数のかからない温度）を二点の光点の間に位置するように手持ちで赤外線センサ３の向きを変えることで、赤外線センサ３が測定対象に正しく向いてその距離も校正用の距離となる。この状態で上記スイッチ１３ｂから指を離す操作を行なうことで、上記測定対象１２の測定温度（補償係数のかからない温度）の投影が一定の間、点滅状態となってその後に点滅の動作が終了して消灯する。
【００３０】
スイッチ１３ｂに対する押下が解除される操作が行なわれたことで、その押下解除から測定対象１２の測定温度（補償係数のかからない温度）の点滅投影が終了するまでの間で、校正用の所定距離で正対する測定対象１２から放出される赤外線を赤外線センサ３が受け、制御部５では、その赤外線センサ３が出力する測定対象１２の測定温度（補償係数のかからない温度）と環境温度センサ４が出力する想定環境温度とが比較、計算され、補償するための計算式の適正な係数が決定される。これによって校正が完了する。
【００３１】
そのため、以降の被測定者に対する体温測定では、上記係数を計算式に組み入れた適正な補償が行なわれ、適正な補償が行なわれた補償測定温度を表示できるようになる。
【符号の説明】
【００３２】
１…赤外線体温計
２…ケース体
３…赤外線センサ
４…環境温度センサ
５…制御部
６…表示手段
７…入射口
８…投射口
９…レンズ体
１０…可読情報
１１…光点
１２…測定対象
１３ａ、１３ｂ、１３ｃ…スイッチ
１３ｄ、１３ｅ、１３ｆ…発光部
１４…操作部
１５…手動校正手段
【図１】
0003202139.tif 000003
【図２】
0003202139.tif 000004
【図３】
0003202139.tif 000005
【図４】
0003202139.tif 000006